(57)【要約】【課題】カードの発行枚数を制限できるようにする。【解決手段】排出ボタン２２が押されると、排出ボタン２２と一体となっている指紋情報読み取り部５２が指紋情報を読み取り、読み取られた指紋情報は指紋情報記憶部５３に供給され、記憶される。指紋認証部５４により、いま読み取られた指紋情報が過去に読み取られたものと同一であるか否かが判定され、判定結果に応じてＣＰＵ４１はカード発行部３２によるカード１００の発行を許可または不許可とする。例えば、一定期間内は同一人に対して１枚だけ発行できるようにしたり、同一人に対して連続して５枚までは発行できるようにしたりする。【選択図】      図６
2004182357.tif 000002
【特許請求の範囲】
【請求項１】
広告を記載した看板と、所定の広告媒体を発行する広告媒体発行部とからなる広告媒体発行装置であって、
前記広告媒体発行部は、
前記広告媒体を収納する収納手段と、
前記広告媒体を排出する排出口と、
前記広告媒体を前記収納手段から前記排出口まで搬送する搬送手段と、
前記搬送手段を手動で駆動するための手動駆動手段と、
を備えることを特徴とする広告媒体発行装置。
【請求項２】
広告を記載した看板と、所定の広告媒体を発行する広告媒体発行部とからなる広告媒体発行装置であって、
前記広告媒体発行部は、
前記広告媒体を収納する収納手段と、
前記広告媒体を排出する排出口と、
前記広告媒体を前記収納手段から前記排出口まで搬送する搬送手段と、
前記搬送手段を駆動する駆動手段と、
前記駆動手段に対して前記搬送手段を駆動するよう指示する指示手段と、
を備えることを特徴とする広告媒体発行装置。
【請求項３】
前記指示手段の操作者の身体的特徴を読み取る読み取り手段と、
前記読み取り手段によって読み取られた前記身体的特徴を示すデータを記憶する記憶手段と、
前記身体的特徴に基づいて前記操作者が過去において前記指示手段を操作したか否かを判定する判定手段と、
前記判定手段による前記判定結果に応じて、前記駆動手段を制御する制御手段と、
をさらに備えることを特徴とする請求項２に記載の広告媒体発行装置。
【請求項４】
前記読み取り手段は、前記指示手段に設けられている
ことを特徴とする請求項３に記載の広告媒体発行装置。
【請求項５】
所定の広告媒体を発行する広告媒体発行装置であって、
前記広告媒体を発行する広告媒体発行手段と、
前記広告媒体発行手段に対して前記広告媒体の発行を指示する指示手段と、
前記指示手段を操作した操作者の身体的特徴を読み取る読み取り手段と、
前記読み取り手段によって読み取られた前記身体的特徴を示すデータを記憶する記憶手段と、
前記身体的特徴を示すデータに基づいて前記操作者が過去において前記指示手段を操作したか否かを判定する判定手段と、
前記判定手段による前記判定結果に応じて、前記広告媒体発行手段による前記広告媒体の発行を制限する制限手段と、
を備えることを特徴とする広告媒体発行装置。
【発明の詳細な説明】
【０００１】
【発明の属する技術分野】
本発明は、広告媒体発行装置に関し、特に、カードやチラシ等の一人当たりの発行枚数を制限する広告媒体発行装置に関する。
【０００２】
【従来の技術】
従来より、看板は、広告宣伝効果が高く、また、低コストで製造できることもあり広く用いられている。この看板の広告宣伝効果を更に高めるべく、電飾を施してより目立つようにしたものがある。
また、記憶及び再生手段と、該記憶及び再生手段を記憶状態にする記憶制御手段と、該記憶及び再生手段を再生状態にする再生制御手段と、スピーカーと、人検知センサーとを看板に設け、記憶制御手段が記憶及び再生手段を記憶状態にしたときに、記憶及び再生手段がメッセージを記憶し、人検知センサーが人を検知したときに、再生制御手段が記憶及び再生手段に記憶されているメッセージを再生し、再生されたメッセージをスピーカーが音声にすることにより、看板に近づいた人に、メッセージを音声で発するようにしたものがある（例えば、特許文献１参照）。
【０００３】
【特許文献１】
特開平１０−９１１１２号公報（図３）
【０００４】
【発明が解決しようとする課題】
しかしながら、電飾を施してより目立つようにした看板は、視覚により情報を伝えるという点では従来の看板と同様であり、また、特許文献１の看板は、音声によってメッセージを伝えることにより注目を集めるという効果はあるが、いずれも情報を一方的に伝えるのみであり、情報を受け取った側に何らかの行動を起こさせるという効果はなく、看板のもつ広告宣伝媒体としての可能性を最大限に活用しているとは言えないという問題点があった。
【０００５】
本発明はこのような状況に鑑みてなされたものであり、チラシやカード等の広告媒体を配布可能な機能を看板に設け、看板の宣伝効果を高めることができるようにするものである。
【０００６】
【課題を解決するための手段】
請求項１に記載の広告媒体発行装置は、広告を記載した看板と、所定の広告媒体を発行する広告媒体発行部とからなる広告媒体発行装置であって、広告媒体発行部は、広告媒体を収納する収納手段と、広告媒体を排出する排出口と、広告媒体を収納手段から排出口まで搬送する搬送手段と、搬送手段を手動で駆動するための手動駆動手段とを備えることを特徴とする。
請求項２に記載の広告媒体発行装置は、広告を記載した看板と、所定の広告媒体を発行する広告媒体発行部とからなる広告媒体発行装置であって、広告媒体発行部は、広告媒体を収納する収納手段と、広告媒体を排出する排出口と、広告媒体を収納手段から排出口まで搬送する搬送手段と、搬送手段を駆動する駆動手段と、駆動手段に対して搬送手段を駆動するよう指示する指示手段とを備えることを特徴とする。
また、指示手段の操作者の身体的特徴を読み取る読み取り手段と、読み取り手段によって読み取られた身体的特徴を示すデータを記憶する記憶手段と、身体的特徴に基づいて操作者が過去において指示手段を操作したか否かを判定する判定手段と、判定手段による判定結果に応じて、駆動手段を制御する制御手段とをさらに備えるようにすることができる。
また、読み取り手段は、指示手段に設けられるようにすることができる。
請求項５に記載の広告媒体発行装置は、所定の広告媒体を発行する広告媒体発行装置であって、広告媒体を発行する広告媒体発行手段と、広告媒体発行手段に対して広告媒体の発行を指示する指示手段と、指示手段を操作した操作者の身体的特徴を読み取る読み取り手段と、読み取り手段によって読み取られた身体的特徴を示すデータを記憶する記憶手段と、身体的特徴を示すデータに基づいて操作者が過去において指示手段を操作したか否かを判定する判定手段と、判定手段による判定結果に応じて、広告媒体発行手段による広告媒体の発行を制限する制限手段とを備えることを特徴とする。
【０００７】
【発明の実施の形態】
図１は、本発明を応用したカード発行機付き看板の一実施の形態の外観図である。同図に示すように、本実施の形態は、看板１にカード発行機２が内蔵されている。カード発行機２にはカード１００（図２）が排出されるカード排出口３と、カード１００を手動でカード排出口３まで搬送し、排出させる排出レバー４とが設けられている。
【０００８】
図２は、カード発行機２の構成例を示している。カード発行機２は、カード１００が排出されるカード排出口３と、手動で回転操作が行われる排出レバー４と、排出レバー４に接続され、排出レバー４に対して手動で回転操作が行われたとき排出レバー４とともに回転し、カード１００をカード排出口３まで搬送し、排出させるローラ６と、カード１００を所定数だけ保管するカード収納部５とから構成されている。
【０００９】
例えば、通行人が看板１の内容に興味を引かれ、詳細な情報が印刷され、割引券として使用できるカード１００を得たい場合、排出レバー４を手動で回転させると、カード１００がカード排出口３から排出される。通行人は、排出されたカード１００を持ち帰ることができる。カード１００を持ち帰ることにより、通行人は、カード１００を無くさない限り、時間が経過しても看板１の内容を思い出すことができ、宣伝効果を高めることができる。
【００１０】
図３は、本発明を応用したカード発行機付き看板の他の実施の形態の外観図である。同図に示すように、本実施の形態は、看板１にカード発行機３０が内蔵されている。このカード発行機３０には排出ボタン２２が設けられており、排出ボタン２２が押されると、カード１００を自動で排出するようになっている。
【００１１】
図４は、カード発行機３０の構成例を示している。カード発行機３０は、カード１００が排出されるカード排出口３と、カード１００の排出を指示するときに押される排出ボタン２２と、排出ボタン２２が押されたとき、回転駆動されるモータ３１と、ベルト７を介して伝達されたモータ３１の回転駆動力によって回転し、カード収納部５に収納されているカード１００をカード排出口３まで搬送し、排出させるローラ６とからなるカード発行部３２と、カード発行部３２を制御する制御部４０等により構成されている。カード発行部３２のモータ３１は、制御部４０により制御されるようになっている。
【００１２】
図５は、制御部４０の構成例を示すブロック図である。同図に示すように、制御部４０は、制御プログラムを記憶するＣＰＵ（ｃｅｎｔｒａｌ  ｐｒｏｃｅｓｓｉｎｇ  ｕｎｉｔ）４１と、制御プログラムを記憶するＲＯＭ（ｒｅａｄ  ｏｎｌｙ  ｍｅｍｏｒｙ）４２と、ＣＰＵ４１が動作する上で必要となる各種データを記憶するＲＡＭ（ｒａｎｄｏｍ  ａｃｃｅｓｓ  ｍｅｍｏｒｙ）４３と、インタフェース（Ｉ／Ｆ）４４、４５，４６と、バス４８と、インタフェース４４を介して接続され、押圧操作がなされたとき、押圧操作がなされたことを示すデータをインタフェース４４を介してＣＰＵ４１に供給する排出ボタン２２と、インタフェース４６に接続され、ＣＰＵ４１よりインタフェース４６を介して供給された各種データを表示する表示部４７とから構成されている。また、ＣＰＵ４１は、インタフェース４５を介してカード発行部３２にカード１００の発行を指令するようになっており、この指令を受けたカード発行部３２は、モータ３１を回転させ、ベルト７を介してモータ３１の回転駆動力をローラ６に伝達し、ローラ６を回転させてカード１００をカード排出口３から排出させるようになっている。
【００１３】
例えば、通行人が看板１の内容に興味を引かれ、例えば、看板１の内容のさらに詳細な情報が印刷され、割引券として使用できるカード１００を得たい場合、排出ボタン２２を指で押圧する。排出ボタン２２が押圧されると、排出ボタン２２は、押圧されたことを示すデータをインタフェース４４を介してＣＰＵ４１に供給する。ＣＰＵ４１は、インタフェース４４を介して排出ボタン２２から供給されたデータを受け取ると、カード発行部３２に対してカード１００を発行するよう指令する。
【００１４】
ＣＰＵ４１からの指令を受けたカード発行部３２のモータ３１は回転駆動し、モータ３１の回転駆動力はベルト７を介してローラ６に伝達され、ローラ６が回転し、カード１００がカード収納部５からカード排出口３に搬送され、排出される。
【００１５】
これにより、通行人はカード排出口３から排出されたカード１００を持ち帰ることができる。カード１００を持ち帰ることにより、通行人は、カード１００を無くさない限り、時間が経過しても看板１の内容を思い出すことができ、宣伝効果を高めることができる。この例では、排出ボタン２２を押圧するだけで、カード１００が排出されるので、図１の実施の形態の場合と比較して通行人の負担が軽減されるという利点がある。
【００１６】
次に、本発明を応用したカード発行機付き看板のさらに他の実施の形態の構成および動作について説明する。本実施の形態の構成は、図３および図４に示した構成とほぼ同様であるが、図４の制御部４０が、図６に示したような構成の制御部５０に置き換えられており、通行人一人当たりに発行可能なカード１００の枚数を制限できるようになっている。
【００１７】
図６に示すように、本実施の形態の制御部５０は、図５に示した制御部４０に、インタフェース５１と、インタフェース５１に接続された指紋情報読み取り部５２と、指紋情報記憶部５３と、指紋認証部５４とを新たに追加した構成となっている。指紋情報読み取り部５２は、排出ボタン２２が指で押圧されたとき、指の指紋を読み取るようになっている。即ち、排出ボタン２２に指紋情報読み取り部５２が設けられている。
【００１８】
指紋情報記憶部５３は、指紋情報読み取り部５２によって読み取られた指紋情報を所定数だけ、読み取られた順に記憶するようになっている。指紋認証部５４は、指紋情報記憶部５３に記憶された指紋情報に基づいて、指紋の特徴を抽出し、指紋を識別し、同一の指紋であるか否かを認証するようになっている。
【００１９】
例えば、通行人Ａが、看板１の内容に興味を引かれ、例えば、看板１の内容のさらに詳細な情報が印刷され、割引券として使用できるカード１００を得たいと考えた場合、排出ボタン２２を押圧し、カード１００を排出させようとする。このとき、排出ボタン２２に設けられている指紋情報読み取り部５２は、通行人Ａの指の指紋情報を読み取り、インタフェース５１を介してＣＰＵ４１に供給する。ＣＰＵ４１は、インタフェース５１を介して指紋情報読み取り部５２から供給された指紋情報を指紋情報記憶部５３に供給し、記憶させる。
【００２０】
次に、指紋認証部５４は、いま指紋情報記憶部５３に記憶された指紋情報と同一の指紋情報が指紋情報記憶部５３にすでに記憶されているか否かを判定する。指紋情報記憶部５３には、所定人数分の指紋情報を記憶しておくことができるようになっている。記憶する指紋情報の数は、一定期間分（例えば一日分等）、或いは、一定の上限数までとすることができる。また、指紋情報は、指紋の画像データでもよいし、指紋認証部５４が指紋の画像データから抽出した特徴データとすることもできる。
【００２１】
指紋認証部５４により、いま指紋情報記憶部５３に記憶された指紋情報と同一の指紋情報が指紋情報記憶部５３にすでに記憶されていると判定された場合、ＣＰＵ４１に対してその判定結果を示すデータを供給する。ＣＰＵ４１は、この判定結果を示すデータが供給された場合、カード１００の発行を行わず、カード１００の発行ができないことを示すメッセージを表示部４７に表示させる。
【００２２】
一方、指紋認証部５４により、いま指紋情報記憶部５３に記憶された指紋情報と同一の指紋情報が指紋情報記憶部５３に記憶されていないと判定された場合、ＣＰＵ４１に対してその判定結果を示すデータを供給する。ＣＰＵ４１は、この判定結果を示すデータが供給された場合、カード発行機３０に対してカード１００を発行するよう指令する。ＣＰＵ４１からこの指令を受けたカード発行機３０は、カード１００を発行する。
【００２３】
指紋情報記憶部５３が、指紋情報と指紋情報が読み取られた日付および時刻を関連付けて記憶するようにすれば、指紋認証部５４は指定された期間内に同一の指紋情報が記憶されているか否かを判定することができるので、通行人Ａがカード１００の発行を受けると、一定期間経過するまで、再びカード１００の発行を受けることができないようにすることができる。このとき、他の通行人Ｂに対してはカード１００を発行することができる。
【００２４】
また、指紋認証部５４により、いま指紋情報記憶部５３に記憶された指紋情報と同一の指紋情報が指紋情報記憶部５３にすでに記憶されていると判定された場合、ＣＰＵ４１に対してその判定結果を示すデータを供給し、ＣＰＵ４１が所定のカウンタのカウント値を１だけ増加させ、カウント値が所定数になるまでは、カード１００の発行を許可するようにすることもできる。これにより、同一の通行人Ａに対して、例えば、５枚まで連続してカード１００を発行することができる。次に、通行人Ｂが排出ボタン２２を押した場合、指紋認証部５４による認証の結果、通行人Ｂの指紋情報と同一の指紋情報が指紋情報記憶部５３に記憶されていないと判定された場合、カウント値がクリアされ、通行人Ｂに対しても、連続して５枚までカード１００を発行することが可能となる。一人当たり連続して発行可能な枚数は任意に設定することができる。
【００２５】
また、同一の指紋情報が読み取られた場合、２回目以降は、その回数と、読み取られた日付および時刻だけを指紋情報記憶部５３に記憶させるようにすれば、データ量を削減することができる。
【００２６】
なお、上記各実施の形態においては、カード１００を発行する場合について説明したが、カード１００に限定されるものではなく、チラシその他の宣伝媒体であってもよい。
【００２７】
また、上記各実施の形態においては、指紋情報に基づいて認証を行うようにしたが、虹彩、声紋、顔等の他の身体的特徴に基づいて認証するようにしてもよい。
【００２８】
また、上記実施の形態の構成及び動作は例であって、本発明の趣旨を逸脱しない範囲で適宜変更することができることは言うまでもない。
【００２９】
【発明の効果】
以上の如く、請求項１に記載の広告媒体発行装置によれば、手動駆動手段によって手動で駆動される搬送手段が、広告媒体を収納手段から排出口まで搬送するようにしたので、広告を記載した看板の宣伝効果を高めることができる。
また、請求項２に記載の広告媒体発行装置によれば、指示手段によって指示された駆動手段が、搬送手段を駆動し、広告媒体を収納手段から排出口まで搬送するようにしたので、操作者が指示手段を操作するだけで広告媒体が自動的に排出され、操作者の負担を軽減することができる。
また、指示手段の操作者の身体的特徴を読み取り、読み取られた身体的特徴を示すデータを記憶し、身体的特徴に基づいて操作者が過去において指示手段を操作したか否かを判定し、判定結果に応じて、駆動手段を制御するようにすれば、同一の操作者に対する広告媒体の発行枚数を制限することができる。
また、請求項５に記載の広告媒体発行装置によれば、広告媒体発行手段が広告媒体を発行し、指示手段が広告媒体発行手段に対して広告媒体の発行を指示し、読み取り手段が指示手段を操作した操作者の身体的特徴を読み取り、記憶手段が読み取られた身体的特徴を示すデータを記憶し、判定手段が身体的特徴を示すデータに基づいて操作者が過去において指示手段を操作したか否かを判定し、制限手段が判定結果に応じて、広告媒体発行手段による広告媒体の発行を制限するようにしたので、広告媒体の一人当たりの発行枚数を制限することができる。
【図面の簡単な説明】
【図１】本発明の広告媒体発行装置を応用した看板の一実施の形態の構成例を示す図である。
【図２】図１のカード発行機の構成例を示す図である。
【図３】本発明の広告媒体発行装置を応用した看板の他の実施の形態の構成例を示す図である。
【図４】図２のカード発行機の構成例を示す図である。
【図５】図４の制御部の構成例を示すブロック図である。
【図６】本発明の広告媒体発行装置を応用した看板のさらに他の実施の形態の制御部の構成例を示すブロック図である。
【符号の説明】
１  看板
２，３０  カード発行機
３  カード排出口
４  排出レバー
５  カード収納部
６  ローラ
７  ベルト
２２  排出ボタン
３１  モータ
３２  カード発行部
４０，５０  制御部
４１  ＣＰＵ
４２  ＲＯＭ
４３  ＲＡＭ
４４，４５，４６，５１  インタフェース（Ｉ／Ｆ）
４７  表示部
５２  指紋情報読み取り部
５３  指紋情報記憶部
５４  指紋認証部
【図１】
2004182357.tif 000003
【図２】
2004182357.tif 000004
【図３】
2004182357.tif 000005
【図４】
2004182357.tif 000006
【図５】
2004182357.tif 000007
【図６】
2004182357.tif 000008